(57)【特許請求の範囲】
【請求項１】
上部に吸い込み口が形成され、前面部下側に吹き出し口が形成されたケーシングと、
前記ケーシング内の前記吸い込み口の下流側に左右方向に沿って並設された複数の軸流型又は斜流型の送風ファンと、
前記ケーシング内の前記送風ファンの下流側であって前記吹き出し口の上流側に設けられ、前記送風ファンから吹き出された空気と冷媒とが熱交換する熱交換器と、
前記吹き出し口に左右方向に揺動自在に設けられ、該吹き出し口から吹き出される気流を左右方向に偏向する複数の左右風向板と、
を備え、
前記左右風向板で前記吹き出し口から吹き出される気流を左右方向のうちの少なくとも一方に偏向する際、
最も前記左右風向板の偏向方向側に配置された前記送風ファンの風量を、当該送風ファン以外の前記送風ファンの風量よりも相対的に小さくすることを特徴とする空気調和機の室内機。
【請求項２】
前記左右風向板で前記吹き出し口から吹き出される気流を左右方向のうちの少なくとも一方に偏向する際、
最も前記左右風向板の偏向方向側に配置された前記送風ファンの風量を、低下させることを特徴とする請求項１に記載の空気調和機の室内機。
【請求項３】
前記左右風向板で前記吹き出し口から吹き出される気流を左右方向のうちの少なくとも一方に偏向する際、
最も前記左右風向板の偏向方向側に配置された前記送風ファン以外の前記送風ファンの少なくとも１つの風量を、増加させることを特徴とする請求項１又は請求項２に記載の空気調和機の室内機。
【請求項４】
複数の前記左右風向板は、所定の隙間を介して左右方向に沿って並設され、
前記隙間のうちの一部は、他の隙間よりも大きく形成されており、
前記左右風向板で前記吹き出し口から吹き出される気流を左右方向のうちの少なくとも一方に偏向する際、
前記の大きく形成された隙間の上方に配置された前記送風ファンの風量を、低下させることを特徴とする請求項１〜請求項３のいずれか一項に記載の空気調和機の室内機。
【請求項５】
複数の前記左右風向板は、所定の隙間を介して左右方向に沿って並設され、
前記隙間のうちの一部は、他の隙間よりも大きく形成されており、
前記左右風向板で前記吹き出し口から吹き出される気流を左右方向のうちの少なくとも一方に偏向する際、
最も前記左右風向板の偏向方向側に配置された前記送風ファン以外の前記送風ファンのうち、前記の大きく形成された隙間の上方に配置された前記送風ファン以外の前記送風ファンの少なくとも１つの風量を、増加させることを特徴とする請求項１〜請求項４のいずれか一項に記載の空気調和機の室内機。
【請求項６】
前記吹き出し口に、左右方向に沿って延設され、該吹き出し口から吹き出される気流を上下方向に偏向する上下風向板と、
前記上下風向板の途中部において前記上下風向板を上下方向に揺動自在に支持する支持部と、
を備え、
前記左右風向板で前記吹き出し口から吹き出される気流を左右方向のうちの少なくとも一方に偏向する際、
前記支持部の上方に配置された前記送風ファンの風量を、低下させることを特徴とする請求項１〜請求項５のいずれか一項に記載の空気調和機の室内機。
【請求項７】
前記吹き出し口に、左右方向に沿って延設され、該吹き出し口から吹き出される気流を上下方向に偏向する上下風向板と、
前記上下風向板の途中部において前記上下風向板を上下方向に揺動自在に支持する支持部と、
を備え、
前記左右風向板で前記吹き出し口から吹き出される気流を左右方向のうちの少なくとも一方に偏向する際、
最も前記左右風向板の偏向方向側に配置された前記送風ファン以外の前記送風ファンのうち、前記支持部の上方に配置された前記送風ファン以外の前記送風ファンの少なくとも１つの風量を、増加させることを特徴とする請求項１〜請求項６のいずれか一項に記載の空気調和機の室内機。
【請求項８】
前記送風ファンを３台以上備え、
前記左右風向板で前記吹き出し口から吹き出される気流を左右方向のうちの少なくとも一方に偏向する際、
複数の前記送風ファンは、前記左右風向板の偏向方向側から当該偏向方向の反対側に向かうにしたがって、その風量が段階的に大きくなっていることを特徴とする請求項１〜請求項３のいずれか一項に記載の空気調和機の室内機。
【請求項９】
前記左右風向板で前記吹き出し口から吹き出される気流を左右方向のうちの少なくとも一方に偏向する際、
前記左右風向板での偏向量に応じて、
最も前記左右風向板の偏向方向側に配置された前記送風ファンの風量と、当該送風ファン以外の前記送風ファンの風量と、の差を変更することを特徴とする請求項１〜請求項８のいずれか一項に記載の空気調和機の室内機。
【請求項１０】
前記左右風向板での偏向量を、時間経過とともに遷移させることを特徴とする請求項１〜請求項９のいずれか一項に記載の空気調和機の室内機。
【請求項１１】
前記熱交換器は、横断面視において下側に凹となった形状をしており、
前記左右風向板の上端部は、この凹部の内部まで延設されていることを特徴とする請求項１〜請求項１０のいずれか一項に記載の空気調和機の室内機。
【発明の詳細な説明】
【技術分野】
【０００１】
本発明は、吹き出し口から吹き出される気流を左右方向に偏向する複数の左右風向板を備えた空気調和機の室内機に関するものである。
【背景技術】
【０００２】
従来より、吹き出し口に、該吹き出し口から吹き出される気流を左右方向に偏向する複数の左右風向板を備えた空気調和機の室内機が提案されている。このような従来の室内機においては、左右風向板で吹き出し口から吹き出される気流を左右方向に偏向した際、吹き出し口の偏向方向側の端部において空気調和後の空気を所望の方向に吹き出せず、吹き出し口の左右風向角度を大きくすることができないという課題があった。例えば、左右風向板で吹き出し口から吹き出される気流を左方向に偏向した際、左右風向板での偏向量を大きくすると、吹き出し口の左側端部近傍の左右風向板によって偏向された空気が室内機内部の左側側壁に衝突し、その向きが正面方向に補正されてしまう。
【０００３】
また、各左右風向板の配置や間隔によっては、室内機内部の側壁に衝突する気流の割合が増加し、吹き出し口から吹き出される気流の全体的な方向が想定外の方向になってしまう場合もあった。
【０００４】
そこで、従来の空気調和機の室内機には、吹き出し口の左右風向角度を大きくするため、例えば「スタビライザ４とリアガイダ５に挟まれて形成された吹き出し口７と、回動可能で前記吹き出し口７から吹き出される空気の左右方向の向きを変更する左右方向風向変更羽根６を備え、前記左右方向風向変更羽根６全体を前記吹き出し口７の外部に配置するようにしたもので、よりユーザーに近い場所での、左右方向風向変更羽根６による風向制御が可能となり、快適性の向上につながるだけでなく、従来のような吹き出し口７内部に左右方向風向変更羽根６が搭載されている場合と異なり、左右方向風向変更羽根６の両端に壁面１ｂが存在しなくなるために、吹き出し風の左右への吹き分け角度を大きくとることが可能となる。」という空気調和機の室内機も提案されている（特許文献１参照）。
【先行技術文献】
【特許文献】
【０００５】
【特許文献１】特開２００８−１７５４３１号公報（要約、図１）
【発明の概要】
【発明が解決しようとする課題】
【０００６】
しかしながら、特許文献１に記載の空気調和機の室内機は、運転時に吹き出し口の外部へ左右風向板（特許文献１では左右方向風向変更羽根６）を突出させるため、左右風向板にユーザが手を触れやすく、左右風向板が想定外の角度に移動してしまうという問題点があった。
【０００７】
また、特許文献１に記載の空気調和機の室内機は、運転時に吹き出し口の外部へ左右風向板（特許文献１では左右方向風向変更羽根６）を突出させるため、意匠性が低下してしまうという問題点もあった。
【０００８】
本発明は、上述のような課題を解決するためになされたものであり、吹き出し口の左右風向角度を大きくしつつ、左右風向板にユーザが手を触れやすくなること及び意匠性の低下を防止することが可能な空気調和機の室内機を得ることを目的とする。
【課題を解決するための手段】
【０００９】
本発明に係る空気調和機の室内機は、上部に吸い込み口が形成され、前面部下側に吹き出し口が形成されたケーシングと、前記ケーシング内の前記吸い込み口の下流側に左右方向に沿って並設された複数の軸流型又は斜流型の送風ファンと、前記ケーシング内の前記送風ファンの下流側であって前記吹き出し口の上流側に設けられ、前記送風ファンから吹き出された空気と冷媒とが熱交換する熱交換器と、前記吹き出し口に左右方向に揺動自在に設けられ、該吹き出し口から吹き出される気流を左右方向に偏向する複数の左右風向板と、を備え、前記左右風向板で前記吹き出し口から吹き出される気流を左右方向のうちの少なくとも一方に偏向する際、最も前記左右風向板の偏向方向側に配置された前記送風ファンの風量を、当該送風ファン以外の前記送風ファンの風量よりも相対的に小さくするものである。
【発明の効果】
【００１０】
本発明においては、吹き出し口の偏向方向側端部近傍の気流は、吹き出し口の他の位置を流れる気流よりも相対的に風量が小さいものとなる。このため、偏向方向側端部近傍の気流が他の位置を流れる気流と合流した際、この合流した気流を正面方向に補正する成分を抑制できる。したがって、吹き出し口から吹き出される気流の全体的な方向（風向き）を所望の方向に近いものとすることができ、吹き出し口の左右風向角度を従来よりも大きくすることができる。この際、本発明においては、左右風向板が吹き出し口の外部に突出しないので、左右風向板にユーザが手を触れやすくなること及び意匠性が低下することも防止できる。
【図面の簡単な説明】
【００１１】
【図１】本発明の実施の形態１に係る空気調和機の室内機を前部の右側上方から見た斜視図である。
【図２】本発明の実施の形態１に係る空気調和機の室内機を前部の右側下方から見た斜視図である。
【図３】本発明の実施の形態１に係る空気調和機の室内機の正面断面図（左右方向に沿った仮想断面での断面図）である。
【図４】本発明の実施の形態１に係る空気調和機の室内機の側面断面図（前後方向に沿った仮想断面での断面図）である。
【図５】本発明の実施の形態１に係る空気調和機の室内機において各送風ファンの風量を変更せずに吹き出し口から吹き出される気流を左右方向に偏向した際の運転状態を示す説明図（正面断面図）である。
【図６】本発明の実施の形態１に係る空気調和機の室内機において吹き出し口から吹き出される気流を右方向に偏向する際の運転状態の一例を示す説明図（正面断面図）である。
【図７】本発明の実施の形態１に係る空気調和機の室内機において吹き出し口から吹き出される気流を右方向に偏向する際の運転状態の別の一例を示す説明図（正面断面図）である。
【図８】本発明の実施の形態１に係る空気調和機の室内機において吹き出し口から吹き出される気流を右方向に偏向する際の運転状態のさらに別の一例を示す説明図（正面断面図）である。
【図９】本発明の実施の形態１に係る空気調和機の室内機において吹き出し口から吹き出される気流を左方向に偏向する際の運転状態の一例を示す説明図（正面断面図）である。
【図１０】本発明の実施の形態１に係る空気調和機の室内機において吹き出し口から吹き出される気流を左方向に偏向する際の運転状態の別の一例を示す説明図（正面断面図）である。
【図１１】本発明の実施の形態１に係る空気調和機の室内機において吹き出し口から吹き出される気流を左方向に偏向する際の運転状態のさらに別の一例を示す説明図（正面断面図）である。
【図１２】本発明の実施の形態１に係る空気調和機の室内機において吹き出し口から吹き出される気流を右方向に偏向する際の運転状態のさらに別の一例を示す説明図（正面断面図）である。
【図１３】本発明の実施の形態１に係る空気調和機の室内機において吹き出し口から吹き出される気流を右方向に偏向する際の運転状態のさらに別の一例を示す説明図（正面断面図）である。
【図１４】本発明の実施の形態１に係る空気調和機の室内機において吹き出し口から吹き出される気流を右方向に偏向する際の運転状態のさらに別の一例を示す説明図（正面断面図）である。
【図１５】本発明の実施の形態１に係る空気調和機の室内機において吹き出し口から吹き出される気流を右方向に偏向する際の運転状態のさらに別の一例を示す説明図（正面断面図）である。
【図１６】本発明の実施の形態１に係る空気調和機の室内機において吹き出し口から吹き出される気流を右方向に偏向する際の運転状態のさらに別の一例を示す説明図（正面断面図）である。
【図１７】本発明の実施の形態１に係る空気調和機の室内機において吹き出し口から吹き出される気流を右方向に偏向する際の運転状態のさらに別の一例を示す説明図（正面断面図）である。
【図１８】本発明の実施の形態１に係る空気調和機の室内機において吹き出し口から吹き出される気流を右方向に偏向する際の運転状態のさらに別の一例を示す説明図（正面断面図）である。
【図１９】本発明の実施の形態２に係る空気調和機の室内機の側面断面図である。
【図２０】本発明の実施の形態２に係る空気調和機の室内機において吹き出し口から吹き出される気流を正面方向にした際の運転状態を示す説明図（正面断面図）である。
【図２１】本発明の実施の形態２に係る空気調和機の室内機において吹き出し口から吹き出される気流を右方向に偏向する際の運転状態の一例を示す説明図（正面断面図）である。
【発明を実施するための形態】
【００１２】
実施の形態１．
図１は、本発明の実施の形態１に係る空気調和機の室内機を前部の右側上方から見た斜視図である。図２は、この空気調和機の室内機を前部の右側下方から見た斜視図である。図３は、この空気調和機の室内機の正面断面図（左右方向に沿った仮想断面での断面図）である。また、図４は、この空気調和機の室内機の側面断面図（前後方向に沿った仮想断面での断面図）である。以下、これら図１〜図４に基づいて、本実施の形態１に係る空気調和機の室内機１００について説明する。なお、以下の図のそれぞれでは、本実施の形態１に係る室内機１００の理解を容易にするため、構成要素の大きさや形状等を他の図と異ならせて記載する場合や、一部の構成要素の図示を省略する場合がある。
【００１３】
室内機１００は、上部に吸い込み口２が形成され、前面部下側に吹き出し口３が形成されたケーシング１を備えている。そして、ケーシング１の内部には、上流側にファンガード４ａを備えた複数の送風ファン４、及び、ケーシング１内へ吸い込まれた空気と冷媒とを熱交換させる熱交換器５等が設けられている。
【００１４】
詳しくは、送風ファン４は、吸い込み口２の下流側に、ケーシング１の左右方向に沿って複数並設されている。本実施の形態１では、３つの送風ファン４を並設している。そして、ケーシング１にも、これら送風ファン４と対応する位置に３つの吸い込み口２が並んで形成されている。各吸い込み口２は例えば略四角形状となっており、内部には例えば格子状の棧２ａが形成されている。また、本実施の形態１に係る室内機１００は、ケーシング１内に流入する室内空気から塵埃等を除去するため、吸い込み口２と送風ファン４との間にフィルター６も設けている。なお、本実施の形態１では、送風ファン４として、軸流ファンであるプロペラファンを用いている。これに限らず、送風ファン４として斜流ファンを用いてもよい。
【００１５】
熱交換器５は、送風ファン４の下流側であり、吹き出し口３の上流側に設けられている。この熱交換器５は、例えば横断面視で略Λ型となっており、下方には、熱交換器５で凝縮されたドレンを室内機１００の外部へ流すためのドレンパン７が設けられている。ドレンパン７は、熱交換器５の前方下端部の下方に配置された前側ドレンパン７ａと、熱交換器５の後方下端部の下方に配置された後側ドレンパン７ｂとを備えている。前側ドレンパン７ａ及び後側ドレンパン７ｂは一体形成されており、これらの間が吹き出し口３に通ずるノズル部となっている。
【００１６】
また、本実施の形態１に係る室内機１００には、吹き出し口３に、当該吹き出し口３から吹き出される気流を偏向するための左右風向板１０及び上下風向板２０が設けられている。左右風向板１０は、吹き出し口３から吹き出される気流を左右方向に偏向する板状部材である。吹き出し口３には、左右方向に沿って複数の左右風向板１０が並設されている。これら左右風向板１０のそれぞれは、ノズルの上面部（詳しくは、前側ドレンパン７ａの後部）に立設された支持軸１１に、左右方向に揺動自在に支持されている。また、各左右風向板１０は、連結棒１２によって連結されている。つまり、連結棒１２を駆動部（図示せず）によって左右方向に移動させることにより、各左右風向板１０が支持軸１１を中心として左右方向に揺動し、吹き出し口３から吹き出される気流が左右方向に偏向される構成となっている。
【００１７】
上下風向板２０は、吹き出し口３から吹き出される気流を上下方向に偏向するものであり、吹き出し口３の左右方向に沿って延設された板状部材である。この上下風向板２０は、その両端部が吹き出し口３の両端部に設けられた支持部２１によって上下方向に揺動自在に支持されている。また、上下風向板２０は、吹き出し口３からの送風時にビビリ音等の騒音を防止するため、その途中部（より詳しくは、上下風向板２０及び吹き出し口３の略中央部）においても、支持部２１によって上下方向に揺動自在に支持されている。なお、本実施の形態１では、上下風向板２０を２つの上下風向板（第１上下風向板２０ａ，第２上下風向板２０ｂ）で構成している（図１及び図２参照）。第１上下風向板２０ａは、吹き出し口３の左側端部に設けられた支持部２１と途中部に設けられた支持部２１とによって上下方向に揺動自在に支持されているものである。また、第２上下風向板２０ｂは、吹き出し口３の右側側端部に設けられた支持部２１と途中部に設けられた支持部２１とによって上下方向に揺動自在に支持されているものである。つまり、駆動部（図示せず）によって上下風向板２０を上下方向に揺動することにより、吹き出し口３から吹き出される気流が上下方向に偏向される構成となっている。なお、図３以降においては、第１上下風向板２０ａ及び第２上下風向板２０ｂを一体として示している。
【００１８】
（動作説明）
このように構成された空気調和機の室内機１００は、次のように動作する。
送風ファン４が回転すると、吸い込み口２からケーシング１内へ室内空気が吸い込まれる。この室内空気は、フィルター６で塵埃等が除去された後、熱交換器５に送られる。熱交換器５に送られた室内空気は、熱交換器５内を流れる冷媒と熱交換したのち、吹き出し口３から空調空気として吹き出される。その際、左右風向板１０において、吹き出し口３から吹き出される気流が左右方向に偏向される。また、上下風向板２０において、吹き出し口３から吹き出される気流が上下方向に偏向される。
【００１９】
ここで、左右風向板１０において吹き出し口３から吹き出される気流を左右方向に偏向する際、以下の図５に示す事態が懸念される。
【００２０】
図５は、本発明の実施の形態１に係る空気調和機の室内機において各送風ファンの風量を変更せずに吹き出し口から吹き出される気流を左右方向に偏向した際の運転状態を示す説明図（正面断面図）である。なお、図５は、左右風向板１０によって吹き出し口３から吹き出される気流を右方向に偏向した状態を示している。
【００２１】
図５に示すように、吹き出し口３から吹き出される気流を右方向に偏向した際（右吹き時）、その偏向量が多い場合には、吹き出し口３の右側端部近傍に配置された左右風向板１０によって右方向に偏向された気流は、ケーシング１内の右側側壁１ａに衝突し、その向きが正面方向に補正されてしまう。そして、この正面方向に補正された気流が他の左方向に偏向された気流（つまり、所望の方向に偏向された気流）と合流すると、吹き出し口３から吹き出された気流の全体的な方向（つまり風向き）は、所望の方向に対して正面方向に補正されたものとなってしまう。
【００２２】
同様に、吹き出し口３から吹き出される気流を左方向に偏向した際（左吹き時）、その偏向量が多い場合には、吹き出し口３の左側端部近傍に配置された左右風向板１０によって左方向に偏向された気流は、ケーシング１内の左側側壁１ｂに衝突し、その向きが正面方向に補正されてしまう。そして、この正面方向に補正された気流が他の左方向に偏向された気流（つまり、所望の方向に偏向された気流）と合流すると、吹き出し口３から吹き出された気流の全体的な方向（つまり風向き）は、所望の方向に対して正面方向に補正されたものとなってしまう。
【００２３】
したがって、吹き出し口３の左右風向角度（最も左右方向に傾けることができる気流の角度）が、所望の左右風向角度よりも小さくなってしまう。
【００２４】
そこで、複数の送風ファン４が左右方向に沿って並設されている本実施の形態１に係る室内機１００においては、吹き出し口３から吹き出される気流を右方向に偏向する際、例えば以下の図６〜図８に示すように各送風ファン４の風量を調整している。
【００２５】
図６は、本発明の実施の形態１に係る空気調和機の室内機において吹き出し口から吹き出される気流を右方向に偏向する際の運転状態の一例を示す説明図（正面断面図）である。
例えば、図６に示すように、吹き出し口３から吹き出される気流を右方向に偏向する際（右吹き時）、最も右側に配置された送風ファン４（つまり、最も左右風向板１０の偏向方向側に配置された送風ファン４）の風量を小さくする。これにより、ケーシング１内の右側側壁１ａに衝突してその向きが正面方向に補正された気流は、他の位置を流れる所望の方向に偏向された気流と比べ、風量が相対的に小さいものとなる。このため、この正面方向に補正された気流が他の右方向に偏向された気流（つまり、所望の方向に偏向された気流）と合流した際、この合流した気流を正面方向に補正する成分を抑制することができる。したがって、吹き出し口３から吹き出される気流を、当初吹きだそうとしていた所望の方向に近いものとすることができる。
【００２６】
図７は、本発明の実施の形態１に係る空気調和機の室内機において吹き出し口から吹き出される気流を右方向に偏向する際の運転状態の別の一例を示す説明図（正面断面図）である。
また例えば、図７に示すように、吹き出し口３から吹き出される気流を右方向に偏向する際（右吹き時）、最も右側に配置された送風ファン４（つまり、最も左右風向板１０の偏向方向側に配置された送風ファン４）以外の送風ファン４の風量を大きくする。この運転方法によっても、ケーシング１内の右側側壁１ａに衝突してその向きが正面方向に補正された気流は、他の位置を流れる所望の方向に偏向された気流と比べ、風量が相対的に小さいものとなる。このため、この正面方向に補正された気流が他の右方向に偏向された気流（つまり、所望の方向に偏向された気流）と合流した際、この合流した気流を正面方向に補正する成分を抑制することができる。したがって、吹き出し口３から吹き出される気流を、当初吹きだそうとしていた所望の方向に近いものとすることができる。
【００２７】
図８は、本発明の実施の形態１に係る空気調和機の室内機において吹き出し口から吹き出される気流を右方向に偏向する際の運転状態のさらに別の一例を示す説明図（正面断面図）である。
また例えば、図８に示すように、吹き出し口３から吹き出される気流を右方向に偏向する際（右吹き時）、最も右側に配置された送風ファン４（つまり、最も左右風向板１０の偏向方向側に配置された送風ファン４）の風量を小さくし、最も右側に配置された送風ファン４（つまり、最も左右風向板１０の偏向方向側に配置された送風ファン４）以外の送風ファン４の風量を大きくする。この運転方法によっても、ケーシング１内の右側側壁１ａに衝突してその向きが正面方向に補正された気流は、他の位置を流れる所望の方向に偏向された気流と比べ、風量が相対的に小さいものとなる。このため、この正面方向に補正された気流が他の右方向に偏向された気流（つまり、所望の方向に偏向された気流）と合流した際、この合流した気流を正面方向に補正する成分を抑制することができる。したがって、吹き出し口３から吹き出される気流を、当初吹きだそうとしていた所望の方向に近いものとすることができる。
【００２８】
さらに、図８に示す運転方法においては、次のような効果を得ることができる。つまり、例えば、３つの送風ファン４のそれぞれ風量が３．０ｍ3 ／ｍｉｎとなっており、全体としては９．０ｍ3 ／ｍｉｎの風量が吹き出し口３から放出しているとする。このとき、吹き出し口３から吹き出される気流を右方向に偏向した際（右吹き時）、右側の送風ファン４の風量を２．０ｍ3 ／ｍｉｎに低下させ、残りの送風ファン４それぞれの風量を３．５ｍ3 ／ｍｉｎに増加させる。これにより、全体の風量を９．０ｍ3 ／ｍｉｎのまま変化させることなく、吹き出し口３から吹き出される気流を当初吹きだそうとしていた所望の方向に近いものとすることができる。
【００２９】
同様に、複数の送風ファン４が左右方向に沿って並設されている本実施の形態１に係る室内機１００においては、吹き出し口３から吹き出される気流を左方向に偏向する際、例えば以下の図９〜図１１に示すように各送風ファン４の風量を調整している。
【００３０】
つまり、例えば図９に示すように、吹き出し口３から吹き出される気流を左方向に偏向する際（左吹き時）、最も左側に配置された送風ファン４（つまり、最も左右風向板１０の偏向方向側に配置された送風ファン４）の風量を小さくする。
また、例えば図１０に示すように、吹き出し口３から吹き出される気流を左方向に偏向する際（左吹き時）、最も左側に配置された送風ファン４（つまり、最も左右風向板１０の偏向方向側に配置された送風ファン４）以外の送風ファン４の風量を大きくする。
また、例えば図１１に示すように、吹き出し口３から吹き出される気流を左方向に偏向する際（左吹き時）、最も左側に配置された送風ファン４（つまり、最も左右風向板１０の偏向方向側に配置された送風ファン４）の風量を小さくし、最も左側に配置された送風ファン４（つまり、最も左右風向板１０の偏向方向側に配置された送風ファン４）以外の送風ファン４の風量を大きくする。
【００３１】
左吹き時においてもこのように各送風ファン４の風量を調整することにより、右吹き時と同様、吹き出し口３から吹き出される気流を当初吹きだそうとしていた所望の方向に近いものとすることができる。また、図１１に示す運転方法においては、全体の風量を変化させることなく、吹き出し口３から吹き出される気流を当初吹きだそうとしていた所望の方向に近いものにできるという効果も得られる。
【００３２】
以上、本実施の形態１のように構成された空気調和機の室内機１００においては、最も左右風向板１０の偏向方向側に配置された送風ファン４の風量を、最も左右風向板１０の偏向方向側に配置された送風ファン４以外の送風ファン４の風量に対して相対的に小さくしている。このため、吹き出し口３の左右風向角度（最も左右方向に傾けることができる気流の角度）を所望の左右風向角度と近いものにでき、従来よりも吹き出し口３の左右風向角度を大きくすることができる。この際、本実施の形態１に係る室内機１００は、左右風向板１０を吹き出し口３から突出させる必要がないので、左右風向板１０にユーザが手を触れやすくなること及び意匠性が低下することも防止できる。
【００３３】
なお、本実施の形態１では、送風ファン４が３つ設けられた場合を例に説明したが、送風ファン４が２つ以上設けられていれば、本発明を実施することができる。
【００３４】
また、本実施の形態１で説明した各送風ファン４の風量の設定方法はあくまでも一例である。例えば、次のように各送風ファン４の風量を設定してもよい。
【００３５】
例えば、室内機１００の構造上の制約（例えば、上下風向板２０の途中部を支持する支持部２１の設置位置等）により、特定の箇所において左右風向板１０を配置できず、当該位置に配置された左右風向板１０間の隙間が大きくなってしまう場合がある。このような場合、最も左右風向板１０の偏向方向側に配置された送風ファン４以外の送風ファン４のそれぞれの風量を例えば図１２のように設定してもよい。
【００３６】
つまり、左右風向板１０で熱交換器５から流出した気流を偏向する場合、平面視において、隣接する左右風向板の端部が近づいている必要がある。理想的には、左右風向板１０で熱交換器５から流出した気流を偏向する場合、平面視において、隣接する左右風向板の端部が重なっているのが好ましい。しかしながら、吹き出し口３の略中央部に左右風向板１０を配置できない場合、当該位置では隣接した左右風向板１０間の隙間が大きくなってしまい、当該位置を通過する気流は、所望の方向よりも正面方向を向いたものとなる。この結果、当該位置を通過する気流によって、吹き出し口３から吹き出された気流の全体的な方向（つまり風向き）は、所望の方向に対して正面方向に補正されたものとなってしまう。
【００３７】
このとき、図１２に示すように、吹き出し口３から吹き出される気流を左方向に偏向する際に、最も右側に配置された送風ファン４（つまり、最も左右風向板１０の偏向方向側に配置された送風ファン４）以外の送風ファン４の風量を大きくする場合、他の隙間よりも大きく形成された左右風向板１０間の隙間の上方に配置された送風ファン４（図１２では中央に配置された送風ファン４）以外の送風ファン４の風量を大きくするとよい。これにより、他の隙間よりも大きく形成された左右風向板１０間の隙間を通る気流（つまり、吹き出し口３から吹き出された気流の全体的な方向を正面方向に補正する成分）が増加しないので、吹き出し口３から吹き出される気流を当初吹きだそうとしていた所望の方向に近いものにできる。また例えば、吹き出し口３から吹き出される気流を左方向に偏向する際に、最も右側に配置された送風ファン４（つまり、最も左右風向板１０の偏向方向側に配置された送風ファン４）以外の送風ファン４の風量を大きくする場合、他の隙間よりも大きく形成された左右風向板１０間の隙間の上方に配置された送風ファン４（図１２では中央に配置された送風ファン４）の風量を小さくしてもよい。他の隙間よりも大きく形成された左右風向板１０間の隙間の上方に配置された送風ファン４の風量（つまり、吹き出し口３から吹き出された気流の全体的な方向を正面方向に補正する成分）が低下するので、吹き出し口３から吹き出される気流を当初吹きだそうとしていた所望の方向に近いものにできる。
なお、他の隙間よりも大きく形成された左右風向板１０間の隙間の上方に配置された送風ファン４以外の送風ファン４の風量を大きくし、かつ、他の隙間よりも大きく形成された左右風向板１０間の隙間の上方に配置された送風ファン４の風量を小さくしても勿論よい。
【００３８】
また例えば、上下風向板２０の途中部を支持する支持部２１等の構造体が吹き出し口３を塞いでいる場合がある。このような場合、最も左右風向板１０の偏向方向側に配置された送風ファン４以外の送風ファン４のそれぞれの風量を例えば図１３のように設定してもよい。
【００３９】
つまり、吹き出し口３を塞ぐ構造物がある場合、この構造物によって、吹き出し口３を流れる気流（左右風向板１０で偏向された気流、又は左右風向板１０間に流れ込む気流）が阻害されてしまう。このため、室内機１００の空力性能が低下したり、室内機１００の騒音が拡大してしまったりする場合がある。
【００４０】
このとき、図１３に示すように、吹き出し口３から吹き出される気流を左方向に偏向する際に、最も右側に配置された送風ファン４（つまり、最も左右風向板１０の偏向方向側に配置された送風ファン４）以外の送風ファン４の風量を大きくする場合、吹き出し口３を塞ぐ構造物の上方に配置された送風ファン４（図１３では中央に配置された送風ファン４）以外の送風ファン４の風量を大きくするとよい。これにより、この構造物によって阻害される気流が増加しないので、吹き出し口３から吹き出される気流を当初吹きだそうとしていた所望の方向に近いものにでき、室内機１００の空力性能の低下や騒音の拡大を防止することもできる。また例えば、吹き出し口３から吹き出される気流を左方向に偏向する際に、最も右側に配置された送風ファン４（つまり、最も左右風向板１０の偏向方向側に配置された送風ファン４）以外の送風ファン４の風量を大きくする場合、吹き出し口３を塞ぐ構造物の上方に配置された送風ファン４（図１２では中央に配置された送風ファン４）の風量を小さくしてもよい。この構造物によって阻害される気流の風量が低下するので、吹き出し口３から吹き出される気流を当初吹きだそうとしていた所望の方向に近いものにでき、室内機１００の空力性能の低下や騒音の拡大を防止することもできる。
なお、吹き出し口３を塞ぐ構造物の上方に配置された送風ファン４以外の送風ファン４の風量を大きくし、かつ、吹き出し口３を塞ぐ構造物の上方に配置された送風ファン４の風量を小さくしても勿論よい。
【００４１】
また例えば、送風ファン４の外径や送風ファン４同士のピッチによっては、一部の送風ファン４の風量を極端に低下させ、当該送風ファン４と隣接する送風ファン４の風量を極端に上昇させた場合、吹き出し口３から吹き出される気流の分布にムラが生じてしまう場合がある。このような場合、各送風ファン４のそれぞれの風量を例えば図１４のように設定してもよい。つまり、複数の送風ファン４は、最も左右風向板１０の偏向方向側から当該偏向方向の反対側に向かうにしたがって、その風量が段階的に大きくなっている。このように各送風ファン４の風量を調整することにより、吹き出し口３から吹き出される気流を当初吹きだそうとしていた所望の方向に近いものにでき、吹き出し口３から吹き出される気流の分布にムラが生じてしまうことも防止できる。
【００４２】
また例えば、図１５に示すように、左右風向板１０での偏向量（つまり、左右風向板１０の回動角度α）に応じて、「最も左右風向板１０の偏向方向側に配置された送風ファン４の風量」と「最も左右風向板１０の偏向方向側に配置された送風ファン４以外の送風ファン４の風量」との差を変更してもよい。つまり、左右風向板１０での偏向量（つまり、左右風向板１０の回動角度α）が大きくなるほど、「最も左右風向板１０の偏向方向側に配置された送風ファン４の風量」と「最も左右風向板１０の偏向方向側に配置された送風ファン４以外の送風ファン４の風量」との差を大きくしてもよい。例えば、「最も左右風向板１０の偏向方向側に配置された送風ファン４の風量」と「最も左右風向板１０の偏向方向側に配置された送風ファン４以外の送風ファン４の風量」との差が同じ場合、左右風向板１０での偏向量（つまり、左右風向板１０の回動角度α）が大きくなるほど、ケーシング１に衝突する気流の風量（つまり、吹き出し口３から吹き出された気流の全体的な方向を正面方向に補正する成分）が大きくなる。このため、「最も左右風向板１０の偏向方向側に配置された送風ファン４の風量」と「最も左右風向板１０の偏向方向側に配置された送風ファン４以外の送風ファン４の風量」との差が同じ場合、左右風向板１０での偏向量（つまり、左右風向板１０の回動角度α）が大きくなるほど、吹き出し口３から吹き出される気流が所望の方向からずれやすくなってしまう。このとき、図１５に示すように各送風ファン４の風量を変更することにより、正面吹きの状態から左右方向へ吹き出し口３から吹き出される気流を変更していく際、吹き出し口３から吹き出される気流の全体的な方向を線形的に遷移させることができる。
【００４３】
また、本実施の形態１では、各左右風向板１０が同一方向に揺動する場合を例に説明したが、例えば図１６に示すように、左右風向板１０を揺動させてもよい。つまり、図１６に示す室内機１００は、左側に配置された左右風向板１０のグループは、左側に揺動し、左側に吹き出される気流を作り出している。また、右側に配置された左右風向板１０のグループは、右側に揺動し、右側に吹き出される気流を作り出している。このように構成された室内機１００においても、最も左右風向板１０の偏向方向側に配置された送風ファン４（図１６では、左側の左右風向板１０グループに対応する左側の送風ファン４と、右側の左右風向板１０グループに対応する右側の送風ファン４）の風量を、最も左右風向板１０の偏向方向側に配置された送風ファン４以外の送風ファン４（図１６では中央の送風ファン４）の風量に対して相対的に小さくすればよい。これにより、左右風向板１０にユーザが手を触れやすくなること及び意匠性が低下することを防止しつつ、従来よりも吹き出し口３の左右風向角度を大きくすることができる。
【００４４】
なお、図１６に示すような、複数の左右風向板１０グループ毎に吹き出し口３から吹き出される気流が異なる室内機１００の場合、各送風ファン４の風量を異ならせることにより、図１７のような効果を得ることもできる。つまり、図１７に示す室内機１００は、左側に配置された左右風向板１０のグループは、右側に揺動し、右側に吹き出される気流を作り出している。また、右側に配置された左右風向板１０のグループは、左側に揺動し、左側に吹き出される気流を作り出している。このように各左右風向板１０グループの揺動方向を制御することにより、吹き出し口３から吹き出される気流を一点に集約し供給することができる。この際、左右風向板１０を通過した気流が衝突するため、損失や騒音の原因となってしまうことが懸念される。しかしながら、図１７で示すように左右端の送風ファン４の風量を低下させ、中央の送風ファン４の風量を上昇させ、さらに左右風向板１０の角度を正面寄りにすることで、損失や騒音を低減し、安定した気流を供給することができる。
【００４５】
また、図１６に示すような、複数の左右風向板１０グループ毎に吹き出し口３から吹き出される気流が異なる室内機１００においても、最も左右風向板１０の偏向方向側に配置された送風ファン４以外の送風ファン４が複数有る場合、図５〜図１５で示したように、これら送風ファン４毎に風量を異ならせても勿論よい。例えば図１８に示すように、最も左右風向板１０の偏向方向側に配置された送風ファン４（図１８では、左側の左右風向板１０グループに対応する左側の送風ファン４と、右側の左右風向板１０グループに対応する右側の送風ファン４）の風量を、最も左右風向板１０の偏向方向側に配置された送風ファン４以外の送風ファン４の風量に対して相対的に小さくすればよい。このとき、最も左右風向板１０の偏向方向側に配置された送風ファン４以外の送風ファン４のうち、上下風向板２０の途中部を支持する支持部２１（吹き出し口３を塞ぐ構造物）の上方のもの以外の送風ファン４の風量を増加させてもよい。また、左右風向板１０での偏向量（つまり、左右風向板１０の回動角度α）に応じて、「最も左右風向板１０の偏向方向側に配置された送風ファン４の風量」と「最も左右風向板１０の偏向方向側に配置された送風ファン４以外の送風ファン４の風量」との差を変更してもよい。
【００４６】
なお、上記の説明では、吹き出し口３から吹き出される気流を時間経過とともに遷移させるか否かについて特に言及しなかったが、吹き出し口３から吹き出される気流を固定ししてもよいし（つまり、時間経過とともに吹き出し口３から吹き出される気流を変更しなくてもよいし）、吹き出し口３から吹き出される気流を時間経過とともに変化させても勿論よい（所謂スイング動作）。吹き出し口３から吹き出される気流を時間経過とともに遷移させる場合、左右風向板１０での偏向量（つまり、左右風向板１０の回動角度α）に応じて、「最も左右風向板１０の偏向方向側に配置された送風ファン４の風量」と「最も左右風向板１０の偏向方向側に配置された送風ファン４以外の送風ファン４の風量」との差を変更することにより、線形的に吹き出し口３から吹き出される気流を遷移させることができる。
【００４７】
実施の形態２．
実施の形態１で示したように、本発明に係る空気調和機の室内機は、熱交換器の上方に送風ファンを配置している。つまり、従来の空気調和機の室内機において送風ファン（例えばクロスフローファン）が配置されていた熱交換器の下方に、スペースが形成されている。このため、当該スペースを活かして、左右風向板１０を次のような形状に構成してもよい。なお、本実施の形態２で特に記述しない項目については実施の形態１と同様とし、同一の機能や構成については同一の符号を用いて述べることとする。
【００４８】
図１９は、本発明の実施の形態２に係る空気調和機の室内機の側面断面図である。図２０は、この空気調和機の室内機において吹き出し口から吹き出される気流を正面方向にした際の運転状態を示す説明図（正面断面図）である。また、図２１は、この空気調和機の室内機において吹き出し口から吹き出される気流を右方向に偏向する際の運転状態の一例を示す説明図（正面断面図）である。
【００４９】
本実施の形態２に係る室内機１００は、左右風向板１０の上端部を、横断面視で略Λ型に形成された熱交換器５の内部まで延設している。つまり、本実施の形態２に係る左右風向板１０は、吹き出し口３を流れる気流方向の長さ（以下、気流方向長さという）が実施の形態１で示した左右風向板１０の気流方向長さよりも長くなっている。ここで、上述のように、左右風向板１０で熱交換器５から流出した気流を偏向する場合、平面視において、隣接する左右風向板の端部が近づいている必要がある。このため、本実施の形態２では、左右風向板１０の気流方向長さが実施の形態１で示した左右風向板１０の気流方向長さよりも長くなっているので、吹き出し口３に配置する左右風向板１０の数を削減することができる（図２０参照）。
【００５０】
以上、本実施の形態２のように構成された空気調和機の室内機１００においても、実施の形態１と同様、最も左右風向板１０の偏向方向側に配置された送風ファン４の風量を、最も左右風向板１０の偏向方向側に配置された送風ファン４以外の送風ファン４の風量に対して相対的に小さくしている（図３参照）。このため、実施の形態１と同様、吹き出し口３の左右風向角度（最も左右方向に傾けることができる気流の角度）を所望の左右風向角度と近いものにでき、従来よりも吹き出し口３の左右風向角度を大きくすることができる。この際、本実施の形態２に係る室内機１００においても、実施の形態１と同様、左右風向板１０を吹き出し口３から突出させる必要がないので、左右風向板１０にユーザが手を触れやすくなること及び意匠性が低下することも防止できる。
【００５１】
さらに、本実施の形態２に係る空気調和機の室内機１００においては、左右風向板１０の数を削減できるので、実施の形態１で示した室内機１００と比べ、吹き出し口３を通る気流が左右風向板１０で阻害されることを抑制できる。このため、本実施の形態２に係る空気調和機の室内機１００は、実施の形態１で示した室内機１００と比べ、室内機１００の空力性能が低下したり、室内機１００の騒音が拡大してしまったりすることをより抑制することができる。
【００５２】
なお、本実施の形態２では、横断面視で略Λ型に形成された熱交換器５を例に説明したが、熱交換器５の形状はこれに限定されるものではない。熱交換器５は、横断面視略Ｎ型や略Ｍ型等、横断面視において下部に凹となった形状であればよい。つまり、熱交換器５が横断面視において下部に凹となった形状であれば、左右風向板１０の上端部を当該凹部に延設でき、本実施の形態２で示した効果を得ることができる。
【符号の説明】
【００５３】
１  ケーシング、１ａ  右側側壁、１ｂ  左側側壁、２  吸い込み口、２ａ  棧、３  吹き出し口、４  送風ファン、４ａ  ファンガード、５  熱交換器、６  フィルター、７  ドレンパン、７ａ  前側ドレンパン、７ｂ  後側ドレンパン、１０  左右風向板、１１  支持軸、１２  連結棒、２０  上下風向板、２０ａ  第１上下風向板、２０ｂ  第２上下風向板、２１  支持部、１００  室内機。
【図１】
0005404758.tif 000002
【図２】
0005404758.tif 000003
【図３】
0005404758.tif 000004
【図４】
0005404758.tif 000005
【図５】
0005404758.tif 000006
【図６】
0005404758.tif 000007
【図７】
0005404758.tif 000008
【図８】
0005404758.tif 000009
【図９】
0005404758.tif 000010
【図１０】
0005404758.tif 000011
【図１１】
0005404758.tif 000012
【図１２】
0005404758.tif 000013
【図１３】
0005404758.tif 000014
【図１４】
0005404758.tif 000015
【図１５】
0005404758.tif 000016
【図１６】
0005404758.tif 000017
【図１７】
0005404758.tif 000018
【図１８】
0005404758.tif 000019
【図１９】
0005404758.tif 000020
【図２０】
0005404758.tif 000021
【図２１】
0005404758.tif 000022